【事件の表示】
　平成１０年特許願第３０８４２２号「デジタルテレビジョン受像機」拒絶査定不服審判事件〔平成１２年　５月１６日出願公開、特開２０００−１３７６０７〕について、次のとおり審決する。
【結　論】
　本件審判の請求は、成り立たない。
【理　由】
１．手続の経緯・本願発明
　本願は、平成１０年１０月２９日の出願であって、その請求項１に係る発明は、明細書及び図面の記載からみて、その特許請求の範囲の請求項１に記載されたとおりの以下の事項により特定されるものである。（以下、「本願発明」という。）
「受像機全体を制御するための制御部、
　制御部の実行プログラムを記憶する電気的書き換え可能な第１の不揮発性メモリ、
　放送によって送られてくるプログラムをダウンロードして、第１の不揮発性メモリの内容を書き換える第１のプログラム書き換え手段、
　プログラム書き換え手段によるプログラムの書き換えが正常に行われたか、書き換え途中での電源遮断によりプログラムの書き換えが正常に行われなかったかを示す識別情報を記憶する電気的書き換え可能な第２の不揮発性メモリ、
　起動時において、識別情報をチェックし、プログラムの書き換えが正常に行われていなかったことが検出されたときには、放送によって送られてくるプログラムを再度ダウンロードして、第１の不揮発性メモリの内容を書き換える第２のプログラム書き換え手段、
　および第２のプログラム書き換え手段によるプログラムの書き換えが正常に行われた場合には、識別情報をプログラムの書き換えが正常に行われたことを表す情報に変更させる手段、
　を備えているデジタルテレビジョン受像機。」
　
２．刊行物記載の発明
　これに対して、原査定の拒絶の理由に引用された、本願の出願日前に頒布された刊行物１及び２には以下の事項が記載されている。
（１）刊行物１（特開平１０−２７０９７号公報、平成１０年１月２７日出願公開）
ア．「【請求項１】フラッシュＲＯＭの第１のアドレス領域に記憶されているデータを消去し該消去した第１のアドレス領域に新たなデータを書き込むための書換えプログラムを、前記フラッシュＲＯＭの第２のアドレス領域に予め記憶しておき、前記フラッシュＲＯＭの第２のアドレス領域に記憶されている書換えプログラムをＲＡＭの所定領域に転送し、該転送した書換えプログラムを前記ＲＡＭ上で実行することによって、前記フラッシュＲＯＭの第１のアドレス領域の内容を書き換えるフラッシュＲＯＭのデータ書換え方法。」
　
イ．「【発明の属する技術分野】本発明は、バッテリのバックアップ無しに記憶内容を保持でき、その記憶内容の書換えが電気的に行えるフラッシュＲＯＭを有する各種装置において、そのフラッシュＲＯＭの記憶内容の書換えを小規模な構成で実現するための技術に関する。」
　
ウ．「【発明が解決しようとする課題】しかしながら、前記したように、フラッシュＲＯＭ５のファームウエアを書き換えるためのプログラムを別のＲＯＭ３に記憶しておく方法では、ファームウエアが作業エリアとして使用するＲＡＭ以外に２種類のＲＯＭが必要になり、装置の実装面がメモリに大きく占有されてしまうとともに、コスト高を招く。」
　
エ．「【課題を解決するための手段】前記目的を達成するために、本発明のフラッシュＲＯＭのデータ書換え方法は、フラッシュＲＯＭの第１のアドレス領域に記憶されているデータを消去し該消去した第１のアドレス領域に新たなデータを書き込むための書換えプログラムを、前記フラッシュＲＯＭの第２のアドレス領域に予め記憶しておき、前記フラッシュＲＯＭの第２のアドレス領域に記憶されている書換えプログラムをＲＡＭの所定領域に転送し、該転送した書換えプログラムを前記ＲＡＭ上で実行することによって、前記フラッシュＲＯＭの第１のアドレス領域の内容を書き換えるようにしている。」
　
オ．「【発明の効果】以上説明したように、本発明では、フラッシュＲＯＭの第１のアドレス領域に記憶されているデータを消去し該消去した第１のアドレス領域に新たなデータを書き込むための書換えプログラムを、そのフラッシュＲＯＭの第２のアドレス領域に予め記憶しておき、フラッシュＲＯＭの第２のアドレス領域に記憶されている書換えプログラムをＲＡＭの所定領域に転送しこれをＲＡＭ上で実行することによってフラッシュＲＯＭの第１のアドレス領域のデータを書き換えるようにしている。」
　
カ．「【発明の実施の形態】以下図面に基づいて本発明の一実施形態を説明する。図１は遠隔測定システムに用いられるユニット２０の構成図である。このユニット２０は、測定部２１と、電話回線１５に接続されたモデム装置２２と、これらを制御するための制御部２３とによって構成され、制御部２３は、ＣＰＵ２４、フラッシュＲＯＭ２５、ＲＡＭ２６、測定インタフェース２７およびシリアルインタフェース２８によって構成されている。【００１４】フラッシュＲＯＭ２５のアドレス領域Ａ１には、アドレス領域Ａ２に例えば１のフラグデータがセットされているか否かを判定し、セットされている場合にはＣＰＵ２４の実行アドレスをアドレス領域Ｂに移行させてこの制御部の動作モードを測定モードにし、セットされていない場合にはＣＰＵ２４の実行アドレスをアドレス領域Ｃに移行させてこの制御部の動作モードを書換えモードにする動作モード指定プログラム３０が記憶されている。なお、このアドレス領域Ａ１は、ＣＰＵ２４がリセット後に最初にアクセスする初期アドレスである。」
　
キ．「【００１５】フラッシュＲＯＭ２５のアドレス領域Ｂには、測定部２１を制御して必要な測定を行いセンタとの通信を行うためのファームウエア３１が予め記憶され、アドレス領域Ｃ、Ｄには、ファームウエア３０を書き換えるためのプログラムが記憶されている。」
　
ク．「【００１９】この書換えプログラムは、フラッシュＲＯＭ２５のアドレス領域Ｂのデータを消去するための消去プログラム３３ａと、センタに新しいファームウエアを要求しこの要求に対してセンタから送られてくる新規のファームウエア３１′をＲＡＭ２６の所定領域２６ｂに記憶するための受信プログラム３３ｂと、受信したファームウエア３１′をフラッシュＲＯＭ２５のアドレス領域Ｂに書き込むための書込プログラム３３ｃと、フラッシュＲＯＭ２５のアドレス領域Ｂに対するファームウエア３１′の書込みが完了したことを示す情報をセンタへ送信する送信プログラム３３ｄと、この制御部の動作モードを書換えモードから測定モードを移行させるためのモード切換プログラム３３ｅによって構成されている。なお、モード切換プログラム３３ｅは、アドレス領域Ａ２のフラグデータを消去してから１のフラグデータを書込んで、ＣＰＵ２４をリセットするプログラムである。」
　
ケ．「【００２１】電源投入がなされると、フラッシュＲＯＭ２５のアドレス領域Ａ２のフラグデータが１か否かが判定され、１にセットされている場合にはフラッシュＲＯＭ２５の領域Ｂに記憶されているファームウエア３１にしたがって、測定部２１に対する測定制御処理やモデム装置２２を介してのセンタとの通信処理が行なわれる（Ｓ１、Ｓ２）。この処理中に、書換え指令を示す情報がセンタから入力されると、アドレス領域Ａ２のフラグデータが１から０に書換えられた後にＣＰＵ２４がリセットされる（Ｓ３〜Ｓ５）。」
　
コ．「【００２６】なお、例えばフラッシュＲＯＭ２５のアドレス領域Ｂに対する新たなファームウエアの書込みが開始される前に電源の瞬断等によってＲＡＭ２６のデータが消去された場合でも、フラッシュＲＯＭ２５のアドレス領域Ａ２のフラグデータが０にセットされているので、制御部は書換えモードとなり、前記同様にファームウエアの書換えを行う。」
　
　上記ア．〜オ．の事項を参照すると、刊行物１には、
　フラッシュＲＯＭの第１のアドレス領域に記憶されているデータを消去し該消去した第１のアドレス領域に新たなデータを書き込むための書換えプログラムを、前記フラッシュＲＯＭの第２のアドレス領域に予め記憶しておき、前記フラッシュＲＯＭの第２のアドレス領域に記憶されている書換えプログラムをＲＡＭの所定領域に転送し、該転送した書換えプログラムを前記ＲＡＭ上で実行することによって、前記フラッシュＲＯＭの第１のアドレス領域の内容を書き換えるフラッシュＲＯＭのデータ書換え方法が記載されている。
　
　また、上記カ．〜ケ．の事項を参照すると、刊行物１には、
　遠隔測定システムに用いられるユニット２０は、測定部２１と、電話回線１５に接続されたモデム装置２２と、これらを制御するための制御部２３とによって構成され、制御部２３は、ＣＰＵ２４、フラッシュＲＯＭ２５、ＲＡＭ２６、測定インタフェース２７およびシリアルインタフェース２８によって構成されており、
　フラッシュＲＯＭ２５のアドレス領域Ａ１には、アドレス領域Ａ２に例えば１のフラグデータがセットされているか否かを判定し、セットされている場合にはＣＰＵ２４の実行アドレスをアドレス領域Ｂに移行させてこの制御部の動作モードを測定モードにし、セットされていない場合にはＣＰＵ２４の実行アドレスをアドレス領域Ｃに移行させてこの制御部の動作モードを書換えモードにする動作モード指定プログラム３０が記憶され、
　フラッシュＲＯＭ２５のアドレス領域Ｂには、測定部２１を制御して必要な測定を行いセンタとの通信を行うためのファームウエア３１が予め記憶され、アドレス領域Ｃ、Ｄには、ファームウエア３０を書き換えるためのプログラムが記憶され、
　この書換えプログラムは、フラッシュＲＯＭ２５のアドレス領域Ｂのデータを消去するための消去プログラム３３ａと、センタに新しいファームウエアを要求しこの要求に対してセンタから送られてくる新規のファームウエア３１′をＲＡＭ２６の所定領域２６ｂに記憶するための受信プログラム３３ｂと、受信したファームウエア３１′をフラッシュＲＯＭ２５のアドレス領域Ｂに書き込むための書込プログラム３３ｃと、フラッシュＲＯＭ２５のアドレス領域Ｂに対するファームウエア３１′の書込みが完了したことを示す情報をセンタへ送信する送信プログラム３３ｄと、この制御部の動作モードを書換えモードから測定モードを移行させるためのモード切換プログラム３３ｅによって構成され、
　電源投入がなされると、フラッシュＲＯＭ２５のアドレス領域Ａ２のフラグデータが１か否かが判定され、１にセットされている場合にはフラッシュＲＯＭ２５の領域Ｂに記憶されているファームウエア３１にしたがって、測定部２１に対する測定制御処理やモデム装置２２を介してのセンタとの通信処理が行なわれ、この処理中に、書換え指令を示す情報がセンタから入力されると、アドレス領域Ａ２のフラグデータが１から０に書換えられた後にＣＰＵ２４がリセットされることが記載されている。
　
　更に、上記コ．の事項を参照すると、刊行物１には、
　フラッシュＲＯＭ２５のアドレス領域Ａ２のフラグデータは、例えば、フラッシュＲＯＭ２５のアドレス領域Ｂに対する新たなファームウエアの書込みが開始される前に電源の瞬断等によってＲＡＭ２６のデータが消去された場合でも、フラグデータが０にセットされているので、制御部は書換えモードとなり、前記同様にファームウエアの書換えを行うことが記載されている。
　
　以上を勘案すると、刊行物１には、
　遠隔測定システムに用いられるユニット２０を制御するための制御部２３、
　制御部２３の実行プログラムであるファームウエア３１を記憶するフラッシュＲＯＭ２５のアドレス領域Ｂ、
　センタから送られてくるファームウェア３１’を受信してＲＡＭ２６に記憶する受信プログラム３３ｂと、フラッシュＲＯＭ２５のアドレス領域Ｂに書込むための書込みプログラム３３ｃ、
　書込みプログラム３３ｃによるファームウェア３１’の書込みが終了すると０から１に書換えられ、また、フラッシュＲＯＭ２５のアドレス領域への書込みが開始される前に電源の瞬断等によってＲＡＭ２６のデータが消去された場合には０にセットされているフラグデータを記憶するフラッシュＲＯＭ２５のアドレス領域Ａ２、
　電源投入がなされると、フラグデータが１か０かが判定され、フラグデータが０にセットされている場合には、制御部は書換えモードとなり、センタから送られてくるファームウェア３１’を受信してＲＡＭ２６に記憶する受信プログラム３３ｂと、フラッシュＲＯＭ２５のアドレス領域Ｂに書込むための書込みプログラム３３ｃ、および
　書込みプログラム３３ｃによるファームウェア３１’の書込みが終了すると、フラグデータを０から１に書換える手段、
　を備えている遠隔測定システムに用いられるユニット２０（以下、「刊行物１記載の発明」という。）が記載されている。
　
（２）刊行物２（特開平１０−２８９１０８号公報、平成１０年１０月２７日出願公開）には、以下の事項が記載されている。
ア．「【請求項１】 オペレータからの指示により、最初にダウンロード処理専用のダウンロード処理プログラムをダウンロードし、次にこのダウンロード処理プログラムを利用して通常のダウンロード処理プログラムをダウンロードし、最後にこのダウンロード処理プログラムを利用してダウンロード処理以外のプログラムをダウンロードすることを特徴とするリモートプログラムダウンロード装置。」
　
イ．「【発明の属する技術分野】本発明は、ディジタル伝送路を介したネットワークに接続された製品のソフトウエアバージョンアップをリモートで行なうリモートプログラムダウンロード装置（国際特許分類 Ｇ０６Ｆ ９／４５５）に関するものである。」
　
ウ．「【発明が解決しようとする課題】しかしながら上記のように構成された従来のリモートプログラムダウンロード装置においては、予備用の不揮発性メモリが必要となり製品のコストが高くなるという問題点を有していた。これは特に、ディジタル衛星放送受信機のような民生家電製品にような場合に大きな問題となる。」
　
エ．「【課題を解決するための手段】前記課題を解決するために、本発明のリモートプログラムダウンロード装置は、ダウンロード起動手段が、状態管理手段が特定するアクティブなダウンロード処理プログラムを起動して、状態管理手段が特定するダウンロードすべきプログラムをダウンロードすることを特徴としたものである。」
　
オ．「【発明の効果】本発明のリモートプログラムダウンロード装置においては、ダウンロード起動手段が、状態管理手段が特定するアクティブなダウンロード処理プログラムを起動して、状態管理手段が特定するダウンロードすべきプログラムをダウンロードすることによって、ダウンロード中に電源断等の障害が発生しても、障害発生時の状態でアクティブであったダウンロード処理プログラムを利用してダウンロード処理を再開することが可能となる。しかもこの場合、ダウンロード中には動作する必要のない非ダウンロード処理プログラム領域を活用して一時ダウンロード処理プログラムを置くようにしているため、ダウンロード処理用プログラム領域が破壊された場合のために余分にダウンロード処理領域を必要としないため、その実用的効果は大きい。」
　
カ．「【従来の技術】近年、プログラムコードをＲＯＭに配置した、いわゆる組込み型マイコン制御システムにおいても、対象システムの複雑化に伴いプログラムサイズの増大化が進行しており、これを応用した製品の出荷後のソフトウエアのメンテナンスが重要な問題となっている。この問題を解決するため、こういった組み込み型マイコン制御システムを応用した製品の中で、ディジタル衛星放送受信機やディジタルＣＡＴＶ放送受信機などの無線／有線のディジタル伝送路を備えた製品については、伝送路を介してプログラムをダウンロードすることによって、ソフトウエアのメンテナンスを行なっている場合がある。また、従来のリモートソフトウエアダウンロード装置の構成については、例えば特平開５−１５８７０３号公報のリモートソフトウエアダウンロード方法で説明されており、図１４に示すような構成で実現されている。」
　
キ．「【００２４】図１は本発明の実施の形態１における装置の構成図である。図１において１０１はフラッシュＲＯＭ、１０２はフラッシュＲＯＭ１０１にプログラムを実行可能な形式で格納するプログラム格納手段、１０３はディジタル伝送路を介して送信側システムの送信器から送信されるデータパケットを受信するデータ受信手段、１０４はこのデータパケットを解釈し、指定されたプログラム種別を持ったプログラムの配置アドレス情報やサイズ情報などのプログラム管理情報とプログラム本体をメモリに読み込むプログラム取得手段、１０５はＥＥＰＲＯＭ、１０６はＥＥＰＲＯＭ１０５を利用してプログラムのダウンロード処理中における状態を保持する状態保持手段である。」
　上記ア．〜オ．の事項を参照すると、刊行物２には、
　オペレータからの指示により、最初にダウンロード処理専用のダウンロード処理プログラムをダウンロードし、次にこのダウンロード処理プログラムを利用して通常のダウンロード処理プログラムをダウンロードし、最後にこのダウンロード処理プログラムを利用してダウンロード処理以外のプログラムをダウンロードすることを特徴とするリモートプログラムダウンロード装置が記載されている。
　
　また、上記カ．の事項を参照すると、刊行物２には、
　ディジタル衛星放送受信機やディジタルＣＡＴＶ放送受信機などの無線のディジタル伝送路を介してプログラムをダウンロードすることによって、ソフトウエアのメンテナンスを行うことが従来技術として記載されている。
　
　また、上記コ．の事項を参照すると、刊行物２には、
　フラッシュＲＯＭ１０１、フラッシュＲＯＭ１０１にプログラムを実行可能な形式で格納するプログラム格納手段１０２、ディジタル伝送路を介して送信側システムの送信器から送信されるデータパケットを受信するデータ受信手段１０３、このデータパケットを解釈し、指定されたプログラム種別を持ったプログラムの配置アドレス情報やサイズ情報などのプログラム管理情報とプログラム本体をメモリに読み込むプログラム取得手段１０４、ＥＥＰＲＯＭ１０５、ＥＥＰＲＯＭ１０５を利用してプログラムのダウンロード処理中における状態を保持する状態保持手段１０６を備えたリモートプログラムダウンロード装置が記載されている。
　
　以上を勘案すると、刊行物２には、
　ディジタル放送受信機のプログラムを記憶するフラッシュＲＯＭ１０１、
　ディジタル放送の無線伝送路によって送られてくるプログラムをダウンロードしてフラッシュＲＯＭ１０１にプログラムを実行可能な形式で格納するプログラム格納手段１０２、
　ＥＥＰＲＯＭ１０５を利用してプログラムのダウンロード処理中における状態を保持する状態保持手段１０６を備えた、
　ディジタル放送受信機のリモートプログラムダウンロード装置（以下、「刊行物２記載の発明」という。）が記載されている。
　
３．対比・判断
（１）対比
　そこで、本願発明と刊行物１記載の発明とを対比すると、
ア．刊行物１記載の発明の「遠隔測定システムに用いられるユニット２０」と請求項１に係る発明の「受像機」は、いずれも受信装置の一種であり、また、刊行物１記載の発明の「ファームウェア３１’」は、プログラムデータと数値データであるから、請求項１に係る発明の「プログラム」に対応する。
　
イ．刊行物１記載の発明の「遠隔測定システムに用いられるユニット２０を制御するための制御部２３」は、請求項１に係る発明の「受像機全体を制御するための制御部」に対応し、受信装置全体を制御するための制御部である点で一致する。
　
ウ．刊行物１記載の発明の「制御部２３の実行プログラムであるファームウエア３１を記憶するフラッシュＲＯＭ２５のアドレス領域Ｂ」は、請求項１に係る発明の「制御部の実行プログラムを記憶する電気的書き換え可能な第１の不揮発性メモリ」に対応し、制御部の実行プログラムを記憶する電気的書き換え可能な不揮発性メモリである点では一致する。
　
エ．刊行物１記載の発明の「センタから送られてくるファームウェア３１’を受信してＲＡＭ２６に記憶する受信プログラム３３ｂと、フラッシュＲＯＭ２５のアドレス領域Ｂに書込むための書込みプログラム３３ｃ」は、請求項１に係る発明の「放送によって送られてくるプログラムをダウンロードして、第１の不揮発性メモリの内容を書き換える第１のプログラム書き換え手段」に対応し、送られてくるプログラムをダウンロードして、不揮発性メモリの内容を書き換える第１のプログラム書き換え手段である点では一致する。
　
オ．刊行物１記載の発明の「書込みプログラム３３ｃによるファームウェア３１’の書込みが終了すると０から１に書換えられ、また、フラッシュＲＯＭ２５のアドレス領域への書込みが開始される前に電源の瞬断等によってＲＡＭ２６のデータが消去された場合には０にセットされているフラグデータ」は、請求項１に係る発明の「プログラム書き換え手段によるプログラムの書き換えが正常に行われたか、書き換え途中での電源遮断によりプログラムの書き換えが正常に行われなかったかを示す識別情報」に対応し、
　また、刊行物１記載の発明の「フラグデータを記憶するフラッシュＲＯＭ２５のアドレス領域Ａ２」は、請求項１に係る発明の「識別情報を記憶する電気的書き換え可能な第２の不揮発性メモリ」に対応し、プログラム書き換え手段によるプログラムの書き換えが正常に行われたか、書き換え途中での電源遮断によりプログラムの書き換えが正常に行われなかったかを示す識別情報を記憶する電気的書き換え可能な不揮発性メモリである点では一致する。
　
カ．刊行物１記載の発明の「電源投入がなされると、フラグデータが１か０かが判定され、フラグデータが０にセットされている場合には、制御部は書換えモードとなり、センタから送られてくるファームウェア３１’を受信してＲＡＭ２６に記憶する受信プログラム３３ｂと、フラッシュＲＯＭ２５のアドレス領域Ｂに書込むための書込みプログラム３３ｃ」は、請求項１に係る発明の「起動時において、識別情報をチェックし、プログラムの書き換えが正常に行われていなかったことが検出されたときには、放送によって送られてくるプログラムを再度ダウンロードして、第１の不揮発性メモリの内容を書き換える第２のプログラム書き換え手段」に対応する。
　
キ．刊行物１記載の発明の「書込みプログラム３３Ｃによるファームウェア３１’の書込みが終了すると、フラグデータを０から１に書換える手段」は、請求項１に係る発明の「第２のプログラム書き換え手段によるプログラムの書き換えが正常に行われた場合には、識別情報をプログラムの書き換えが正常に行われたことを表す情報に変更させる手段」に対応する。
　
ク．刊行物１記載の発明の「遠隔測定システムに用いられるユニット２０」と、請求項１に係る発明の「デジタルテレビジョン受像機」とは、制御部の実行プログラムを受信してダウンロードして用いる受信装置である点では一致する。
　
　したがって、両者は、以下の点で一致し、以下の各点で相違する。
＜一致点＞
　受信装置全体を制御するための制御部、
　制御部の実行プログラムを記憶する電気的書き換え可能な不揮発性メモリ、
　送られてくるプログラムをダウンロードして、不揮発性メモリの内容を書き換える第１のプログラム書き換え手段、
　プログラム書き換え手段によるプログラムの書き換えが正常に行われたか、書き換え途中での電源遮断によりプログラムの書き換えが正常に行われなかったかを示す識別情報を記憶する電気的書き換え可能な不揮発性メモリ、
　起動時において、識別情報をチェックし、プログラムの書き換えが正常に行われていなかったことが検出されたときには、送られてくるプログラムを再度ダウンロードして、不揮発性メモリの内容を書き換える第２のプログラム書き換え手段、および
　第２のプログラム書き換え手段によるプログラムの書き換えが正常に行われた場合には、識別情報をプログラムの書き換えが正常に行われたことを表す情報に変更させる手段、
　を備えている受信装置。
　
＜相違点＞
（ア）受信装置が、
　請求項１に係る発明では、デジタルテレビジョン受像機であるのに対し、
　刊行物１記載の発明では、遠隔測定システムに用いられるユニットである点。
　
（イ）実行プログラムと識別情報を記憶する電気的書き換え可能な不揮発性メモリが、
　請求項１に係る発明では、第１及び第２の不揮発性メモリであるのに対し、
　刊行物１記載の発明では、フラッシュＲＯＭの領域Ｂと領域Ａ２である点。
　
（ウ）ダウンロードするプログラムが、
　請求項１に係る発明では、放送によって送られてくるのに対し、
　刊行物１記載の発明では、通信によって送られてくる点。
　
（２）判断
　上記の相違点（ア）及び（ウ）について検討すると、
　刊行物２には、
　ディジタル放送受信機のプログラムを記憶するフラッシュＲＯＭ１０１、
　ディジタル放送の無線伝送路によって送られてくるプログラムをダウンロードしてフラッシュＲＯＭ１０１にプログラムを実行可能な形式で格納するプログラム格納手段１０２、
　ＥＥＰＲＯＭ１０５を利用してプログラムのダウンロード処理中における状態を保持する状態保持手段１０６を備えた、
　ディジタル放送受信機のリモートプログラムダウンロード装置が記載されており、
　　
　刊行物２には、
　デジタル放送受信機のプログラムをダウンロードして制御すること、
　ダウンロードするプログラムをディジタル放送の無線伝送路によって送ることが開示されており、
　刊行物１記載の発明も刊行物２記載の発明も、プログラムをダウンロードして制御する装置である点では一致しているから、
　
　刊行物２記載の発明を参照すれば、
　刊行物１記載の実行プログラムをダウンロードして制御する技術を、遠隔測定システムのユニットでなく、デジタル放送受信機に適用すること、及び、
　この場合にプログラムが放送によって送られてくるようにすることは、当業者が容易に想到することができたものである。
　
　また、上記の相違点（イ）については、
　刊行物２には、ダウンロードしたプログラムをフラッシュＲＯＭに記憶し、ダウンロード処理中における状態を、ＥＥＰＲＯＭを利用して保持することが開示されているから、
　
　刊行物２記載の発明を参照すれば、
　刊行物１記載の送られてくるプログラムとフラグデータをフラッシュＲＯＭの異なる領域Ｂと領域Ａ２に記憶することに代えて、フラッシュＲＯＭとＥＥＰＲＯＭの第１及び第２の不揮発性メモリに記憶することは当業者が容易に変更することができたことである。
　
　したがって、上記の相違点（ア）〜（ウ）については、刊行物２記載の発明を参照することにより、当業者が容易に想到することができたことである。
　
　なお、審判請求人は、【請求の理由】において、「引用文献１、２および３には、放送によって送られてくるプログラムに基づいてデジタルテレビジョン受像機のプログラムを書き換えている途中において、停電に基づく電源遮断または操作者の操作に基づく電源遮断が発生することによって、書き換え動作が中断された場合において、電源が復帰したときに自動的にプログラムの書き換えが行なわれるようにする技術は開示されていない。上述したように、引用文献１に開示されている技術は、センタによって監視されている遠隔測定システムのようにセンタから電話回線を介して送られてくるデータに基づいてファームウエアの書き換えを行なうもの、またはメモリカード、フロッピーディスク等の読み取り装置で読み込んだデータに基づいてファームウエアの書き換えを行なうものであるので、この技術を、デジタルテレビジョン受像機のように放送によって送られてくるプログラムに基づいてデジタルテレビジョン受像機のプログラムを書き換えるものに適用することは困難である。」と主張しているが、
　
　刊行物１には、センタから送られてくるファームウェア３１’を受信してＲＡＭ２６に記憶し、フラッシュＲＯＭ２５のアドレス領域Ｂに書込む際に、
　フラッシュＲＯＭ２５のアドレス領域への書込みが開始される前に電源の瞬断等によってＲＡＭ２６のデータが消去された場合にも、フラグデータは０にセットされた状態のままであって、この場合には電源投入時にもフラグデータをチェックして０であれば、自動的にファームウェアのダウンロードと書込みが行われることが開示されており、
　
　刊行物１には、送られてくるプログラムに基づいてプログラムを書き換えている途中において、停電に基づく電源遮断または操作者の操作に基づく電源遮断が発生することによって、書き換え動作が中断された場合において、電源が復帰したときに自動的にプログラムの書き換えが行なわれるようにする技術が示されており、本願発明の技術的な特徴点が開示されている。
　
　刊行物１記載の発明と本願発明との相違点は、上述のように、プログラムをダウンロードする装置がデジタルテレビジョン受信機である点、プログラムが放送によって送られてくる点、及び、プログラムと識別情報が異なる不揮発性メモリに格納される点であるに過ぎないが、
　
　上記の各相違点については、いずれも、上記刊行物２に開示されており、
　また、この出願の出願時点において、デジタルテレビジョン受信機の制御プログラムを放送により送ってダウンロードして電気的に書き換え可能な不揮発性メモリに記憶することは周知技術（例えば、特開平１０−２５７４３１号公報の【００１１】欄や特開平１０−２５７４５３号公報の【００１０】欄の従来技術としての記載を参照）であるから、
　
　送られたプログラムをダウンロードする刊行物１記載の技術を、制御プログラムを放送により送ってダウンロードする周知のデジタルテレビジョン受信機に適用することに格別の困難性があるとは言えない。
　
４．むすび
　以上のとおりであるから、本願発明は、刊行物１及び刊行物２記載の発明並びに上記周知技術に基いて当業者が容易に発明をすることができたものと認められ、特許法第２９条第２項の規定により特許を受けることができない。
　よって、結論のとおり審決する。